(57)【要約】  【課題】端末からセンター装置に対する上り回線の周波数と、センター装置から端末に対する下り回線の周波数とが、同一周波数で時分割多重された双方向通信システムの信号を中継する双方向通信用中継システムを提供する。  【解決手段】複数の端末２ａ、２ｎを有する第１の通信ネットワーク３と、他の複数の端末４ａ、４ｍを有する第２の通信ネットワーク５と、第１の通信ネットワーク３に接続され、端末２ａ、２ｎの通信割当の制御およびそれらの各端末間の通信を実現するセンター装置１と、第１の通信ネットワーク３に一つの端末として接続され、第２の通信ネットワーク５にも接続され、端末４ａ、４ｍの宛先情報を持つ第２の宛先テーブルを格納した第２のメモリ７１、および端末４ａ、４ｍの通信割当を制御しセンター装置１と端末４ａ、４ｍ間の信号を中継して伝送させる制御部とを有する、中継器とを備えた。【選択図】図１ 
2006025357.tif 000002
【特許請求の範囲】
【請求項１】
複数の端末を有する第１の通信ネットワークと、
少なくとも一つの、他の複数の端末を有する第２の通信ネットワークと、
前記第１の通信ネットワークに接続され、前記複数の端末および前記他の複数の端末の宛先情報を持つ第１の宛先テーブルを格納した第１のメモリと、前記第１の通信ネットワークに属する前記複数の端末の通信割当の制御およびそれらの各端末間の通信を行わせるセンター制御部とを有する、センター装置と、
前記第１の通信ネットワークに一つの端末として接続され、前記第２の通信ネットワークにも接続され、少なくとも前記第２の通信ネットワークに属する前記他の複数の端末の宛先情報を持つ第２の宛先テーブルを格納した第２のメモリと、前記他の複数の端末の通信割当を制御し、前記センター装置から送られてくる通信情報から前記他の複数の端末のいずれかの端末宛の情報を抽出してその宛先の端末に送信し、また、前記他の複数の端末のいずれかの端末から受信した情報のうち、前記他の複数の端末の他のいずれかの端末宛の情報を抽出してその宛先の端末に送信し、前記他のいずれかの端末宛以外の情報を前記センター装置に送信する中継制御部とを有する、中継器とを備え、
前記第１のメモリには、前記第２の通信ネットワークと前記中継器との組み合わせ情報も格納されている、双方向通信用中継システム。
【請求項２】
前記第１の通信ネットワークおよび前記第２の通信ネットワークは、同一周波数帯で時分割通信を行うネットワークであり、
前記センター装置は、前記第１の通信ネットワークに属する複数の各端末との間および前記中継器との間の通信の時間割り当てを行い、
前記中継器の前記中継制御部は、前記センター装置から送られてきた前記通信の時間割り当てに基づいて、前記センター装置で割り当てられなかった時間を、前記第２の通信ネットワークに属する他の複数の各端末との間の通信のための時間に割り当てる、請求項１に記載の双方向通信用中継システム。
【請求項３】
前記中継制御部は、通信データを保持する通信データ用メモリを有し、
前記センター装置から受信した前記他の複数の端末のいずれかの端末宛の情報を抽出して前記通信データ用メモリに保持し、その宛先の端末との間の通信のために割り当てた時間に、その情報を前記その宛先の端末に送信し、
前記他の複数の端末のいずれかの端末から受信した情報を前記通信データ用メモリに保持し、その保持した情報のうち、前記他の複数の端末の他のいずれかの端末宛の情報は、その宛先の端末との間の通信のために割り当てた時間に前記その宛先の端末に送信し、前記他のいずれかの端末宛以外の情報は、前記センター装置によって割り当てられた前記センター装置との間の通信のための時間に前記センター装置に送信する、請求項２に記載の双方向通信用中継システム。
【請求項４】
前記センター装置は、前記第１の通信ネットワークに属する複数の各端末との間の通信に使用する周波数帯とは異なる周波数帯を使用する放送信号も送信し、
前記中継器は、前記第１の通信ネットワークに接続される第１の接続点と、前記第２の通信ネットワークに接続される第２の接続点と、前記第１の接続点および前記第２の接続点を接続する接続ラインを有し、
前記中継制御部は、前記第１の接続点および前記第２の接続点のそれぞれに接続されている、請求項２に記載の双方向通信用中継システム。
【請求項５】
前記中継器は、
前記中継制御部と前記第１の接続点との間に、前記センター装置から送信されてくる通信データの信号をろ波する第１のフィルタと、
前記中継制御部と前記第２の接続点との間に、前記第２の通信ネットワークに属する他の複数の各端末から送信されてくる通信データの信号をろ波する第２のフィルタとを有する、請求項４に記載の双方向通信用中継システム。
【請求項６】
前記中継器は、さらに、前記接続ラインの途中に、前記放送信号をろ波する第３のフィルタを有する、請求項５に記載の双方向通信用中継システム。
【請求項７】
前記中継器は、さらに、
前記中継制御部と前記第１のフィルタとの間に配置され、前記第１のフィルタにろ波された前記センター装置から送信されてきた信号を復調し、また、前記第１のフィルタにろ波させる前記センター装置に送信する信号を変調する第１の変復調部と、
前記中継制御部と前記第２のフィルタとの間に配置され、前記第２のフィルタにろ波された前記第２の通信ネットワークに属する前記他の複数の端末のいずれかの端末から送信されてきた信号を復調し、また、前記第２のフィルタにろ波させる前記他の複数の端末のいずれかの端末に送信する信号を変調する第２の変復調部とを有する、請求項５または６に記載の双方向通信用中継システム。
【請求項８】
前記センター装置から前記中継器に送信されてくる信号の周波数と、前記中継器から前記センター装置に送信する信号の周波数とが異なり、
また、前記第２の通信ネットワークに属する前記他の複数の端末のいずれかの端末から前記中継器に送信されてくる信号の周波数と、前記中継器から前記他の複数の端末のいずれかの端末に送信する信号の周波数とが異なる、請求項２に記載の双方向通信用中継システム。
【請求項９】
前記第１の通信ネットワークおよび前記第２の通信ネットワークは、各端末が同軸ケーブルおよび分配器で接続されている、請求項１に記載の双方向通信用中継システム。
【請求項１０】
請求項１に記載の双方向通信用中継システムに使用される中継器であって、
前記第１の通信ネットワークに一つの端末として接続され、前記第２の通信ネットワークにも接続され、前記第２の通信ネットワークに属する前記他の複数の端末の通信割当を制御する前記中継制御部を有する中継器。
【請求項１１】
複数の端末を有する第１の通信ネットワークと、少なくとも一つの、他の複数の端末を有する第２の通信ネットワークとに接続され、少なくとも前記第２の通信ネットワークに属する前記他の複数の端末の宛先情報を持つ第２の宛先テーブルを格納したメモリを有する中継器を用いて、
前記第２の通信ネットワークに属する前記他の複数の端末の通信割当を制御するステップと、
前記第１の通信ネットワークに接続され前記第１の通信ネットワークに属する前記複数の端末の通信割当の制御およびそれらの各端末間の通信を行わせるセンター装置から送られてくる通信情報から、前記第２の通信ネットワークに属する前記他の複数の端末のいずれかの端末宛の情報を抽出してその宛先の端末に送信するステップと、
前記第２の通信ネットワークに属する前記他の複数の端末のいずれかの端末から受信した情報のうち、前記他の複数の端末の他のいずれかの端末宛の情報を抽出してその宛先の端末に送信するステップと、
前記他の複数の端末のいずれかの端末から受信した情報のうち、前記他の複数の端末の他のいずれかの端末宛以外の情報を前記センター装置に送信するステップとを備えた、双方向通信用中継方法。
【請求項１２】
請求項１に記載の、前記センター装置の、
前記第１の通信ネットワークに属する前記複数の端末の通信割当の制御およびそれらの各端末間の通信を行わせるセンター制御部としてコンピュータを機能させるためのプログラム。
【請求項１３】
請求項１２に記載のプログラムを担持した記録媒体であって、コンピュータで利用可能な記録媒体。
【請求項１４】
請求項１に記載の、前記中継器の、
前記他の複数の端末の通信割当を制御し、前記センター装置から送られてくる通信情報から前記他の複数の端末のいずれかの端末宛の情報を抽出してその宛先の端末に送信し、また、前記他の複数の端末のいずれかの端末から受信した情報のうち、前記他の複数の端末の他のいずれかの端末宛の情報を抽出してその宛先の端末に送信し、前記他のいずれかの端末宛以外の情報を前記センター装置に送信する、前記中継制御部としてコンピュータを機能させるためのプログラム。
【請求項１５】
請求項１４に記載のプログラムを担持した記録媒体であって、コンピュータで利用可能な記録媒体。
【発明の詳細な説明】
【技術分野】
【０００１】
本発明は、双方向通信システムにおいて送受信される信号を中継する双方向通信用中継システム、中継器、および双方向通信用中継方法に関するものである。例えば、同一周波数、時分割多重の双方向通信システムの信号を中継する双方向通信用中継システム、中継器、および双方向通信用中継方法に関するものである。
【背景技術】
【０００２】
双方向通信システムと他の双方向通信システムを中継する方式が考案されている（例えば、特許文献１参照）。
【０００３】
以下、図面を参照しながら、従来の双方向通信用中継システムの一例について説明する。
【０００４】
図８は、従来の双方向通信用中継システムの構成を示すものである。
【０００５】
センター装置４２に属するネットワーク４１と、センター装置４４に属するネットワーク４３が接する部分にゲートウェイ４５が設置されている。
【０００６】
図９は、図８に示す双方向通信用中継システムの通信用に割り当てられた周波数配列図である。５１ａが上り回線制御チャネル、５１ｂが下り回線制御チャネル、５２ａ、５３ａ…は上り通信チャネル、５２ｂ、５３ｂ…は下り通信チャネルである。
【０００７】
以上のように構成された従来の双方向通信用中継システムについて、以下その動作について説明する。
【０００８】
ネットワーク４３に属する端末４６が、ネットワーク４１に属する端末４７と通信する場合、端末４６は、まず、制御チャネル５１ａによりセンター装置４４に対しネットワーク４１に属する端末４７への通信である旨の連絡を行う。そして、センター装置４４は、制御チャネル５１ｂにより、空き通信チャネル番号、発呼した端末の番号、通信希望の端末番号をゲートウェイ４５に連絡をする。ゲートウェイ４５は、制御チャネル５１ａにより、更にこれらの情報をセンター装置４２に中継連絡する。
【０００９】
次に、センター装置４２は、制御チャネル５１ｂにより、通信チャネル５２ａ−５２ｂペアおよび５３ａ−５３ｂペアを割り当てる旨を、端末４７およびゲートウェイ４５に連絡する。ゲートウェイ４５は、この情報を制御チャネル５１ａによりセンター装置４４へ連絡し、センター装置４４は、制御チャネル５１ｂにより、通信チャネル５２ａ−５２ｂペアおよび５３ａ−５３ｂペアを割り当てる旨を端末４６へ連絡する。
【００１０】
この後、端末４６から端末４７への通信は、端末４６とセンター装置４４との間は通信チャネル５２ａにて送信され、さらにセンター装置４４にて周波数変換されて、センター装置４４とゲートウェイ４５との間は通信チャネル５２ｂにて送信される。さらにゲートウェイ４５にて周波数変換され、ゲートウェイ４５とセンター装置４２との間は通信チャネル５２ａにて送信される。さらにセンター装置４２にて周波数変換され、センター装置４２と端末４７との間は通信チャネル５２ｂにて送信される。
【００１１】
同様にして、端末４７から端末４６への通信は、端末４７とセンター装置４２との間は通信チャネル５３ａにて送信され、さらにセンター装置４２にて周波数変換され、センター装置４２とゲートウェイ４５との間は通信チャネル５３ｂにて送信される。さらにゲートウェイ４５にて周波数変換され、ゲートウェイ４５とセンター装置４４との間は通信チャネル５３ａにて送信される。さらにセンター装置４４にて周波数変換され、センター装置４４と端末４６との間は通信チャネル５３ｂにて送信される。
【００１２】
このようにして、双方向通信ネットワークにおいて他のネットワークに属する端末との端末間通信を実現している。
【特許文献１】特公平７−９５７４８号公報
【発明の開示】
【発明が解決しようとする課題】
【００１３】
しかしながら、上記の従来の双方向通信用中継システムは、センター装置を備えたネットワーク同士を中継させることを前提としており、センター装置を備えていないネットワークと中継させることは実現できない。
【００１４】
本発明は、上述した従来の課題を解決するもので、センター装置を備えていないネットワークにも中継できる、双方向通信用中継システム、中継器、および双方向通信用中継方法を提供する。
【課題を解決するための手段】
【００１５】
上述した課題を解決するために、第１の本発明は、
複数の端末を有する第１の通信ネットワークと、
少なくとも一つの、他の複数の端末を有する第２の通信ネットワークと、
前記第１の通信ネットワークに接続され、前記複数の端末および前記他の複数の端末の宛先情報を持つ第１の宛先テーブルを格納した第１のメモリと、前記第１の通信ネットワークに属する前記複数の端末の通信割当の制御およびそれらの各端末間の通信を行わせるセンター制御部とを有する、センター装置と、
前記第１の通信ネットワークに一つの端末として接続され、前記第２の通信ネットワークにも接続され、少なくとも前記第２の通信ネットワークに属する前記他の複数の端末の宛先情報を持つ第２の宛先テーブルを格納した第２のメモリと、前記他の複数の端末の通信割当を制御し、前記センター装置から送られてくる通信情報から前記他の複数の端末のいずれかの端末宛の情報を抽出してその宛先の端末に送信し、また、前記他の複数の端末のいずれかの端末から受信した情報のうち、前記他の複数の端末の他のいずれかの端末宛の情報を抽出してその宛先の端末に送信し、前記他のいずれかの端末宛以外の情報を前記センター装置に送信する中継制御部とを有する、中継器とを備え、
前記第１のメモリには、前記第２の通信ネットワークと前記中継器との組み合わせ情報も格納されている、双方向通信用中継システムである。
【００１６】
第２の本発明は、
前記第１の通信ネットワークおよび前記第２の通信ネットワークは、同一周波数帯で時分割通信を行うネットワークであり、
前記センター装置は、前記第１の通信ネットワークに属する複数の各端末との間および前記中継器との間の通信の時間割り当てを行い、
前記中継器の前記中継制御部は、前記センター装置から送られてきた前記通信の時間割り当てに基づいて、前記センター装置で割り当てられなかった時間を、前記第２の通信ネットワークに属する他の複数の各端末との間の通信のための時間に割り当てる、第１の本発明の双方向通信用中継システムである。
【００１７】
第３の本発明は、
前記中継制御部は、通信データを保持する通信データ用メモリを有し、
前記センター装置から受信した前記他の複数の端末のいずれかの端末宛の情報を抽出して前記通信データ用メモリに保持し、その宛先の端末との間の通信のために割り当てた時間に、その情報を前記その宛先の端末に送信し、
前記他の複数の端末のいずれかの端末から受信した情報を前記通信データ用メモリに保持し、その保持した情報のうち、前記他の複数の端末の他のいずれかの端末宛の情報は、その宛先の端末との間の通信のために割り当てた時間に前記その宛先の端末に送信し、前記他のいずれかの端末宛以外の情報は、前記センター装置によって割り当てられた前記センター装置との間の通信のための時間に前記センター装置に送信する、第２の本発明の双方向通信用中継システムである。
【００１８】
第４の本発明は、
前記センター装置は、前記第１の通信ネットワークに属する複数の各端末との間の通信に使用する周波数帯とは異なる周波数帯を使用する放送信号も送信し、
前記中継器は、前記第１の通信ネットワークに接続される第１の接続点と、前記第２の通信ネットワークに接続される第２の接続点と、前記第１の接続点および前記第２の接続点を接続する接続ラインを有し、
前記中継制御部は、前記第１の接続点および前記第２の接続点のそれぞれに接続されている、第２の本発明の双方向通信用中継システムである。
【００１９】
第５の本発明は、
前記中継器は、
前記中継制御部と前記第１の接続点との間に、前記センター装置から送信されてくる通信データの信号をろ波する第１のフィルタと、
前記中継制御部と前記第２の接続点との間に、前記第２の通信ネットワークに属する他の複数の各端末から送信されてくる通信データの信号をろ波する第２のフィルタとを有する、第４の本発明の双方向通信用中継システムである。
【００２０】
第６の本発明は、
前記中継器は、さらに、前記接続ラインの途中に、前記放送信号をろ波する第３のフィルタを有する、第５の本発明の双方向通信用中継システムである。
【００２１】
第７の本発明は、
前記中継器は、さらに、
前記中継制御部と前記第１のフィルタとの間に配置され、前記第１のフィルタにろ波された前記センター装置から送信されてきた信号を復調し、また、前記第１のフィルタにろ波させる前記センター装置に送信する信号を変調する第１の変復調部と、
前記中継制御部と前記第２のフィルタとの間に配置され、前記第２のフィルタにろ波された前記第２の通信ネットワークに属する前記他の複数の端末のいずれかの端末から送信されてきた信号を復調し、また、前記第２のフィルタにろ波させる前記他の複数の端末のいずれかの端末に送信する信号を変調する第２の変復調部とを有する、第５または第６の本発明の双方向通信用中継システムである。
【００２２】
第８の本発明は、
前記センター装置から前記中継器に送信されてくる信号の周波数と、前記中継器から前記センター装置に送信する信号の周波数とが異なり、
また、前記第２の通信ネットワークに属する前記他の複数の端末のいずれかの端末から前記中継器に送信されてくる信号の周波数と、前記中継器から前記他の複数の端末のいずれかの端末に送信する信号の周波数とが異なる、第２の本発明の双方向通信用中継システムである。
【００２３】
第９の本発明は、
前記第１の通信ネットワークおよび前記第２の通信ネットワークは、各端末が同軸ケーブルおよび分配器で接続されている、第１の本発明の双方向通信用中継システムである。
【００２４】
第１０の本発明は、
第１の本発明の双方向通信用中継システムに使用される中継器であって、
前記第１の通信ネットワークに一つの端末として接続され、前記第２の通信ネットワークにも接続され、前記第２の通信ネットワークに属する前記他の複数の端末の通信割当を制御する前記中継制御部を有する中継器である。
【００２５】
第１１の本発明は、
複数の端末を有する第１の通信ネットワークと、少なくとも一つの、他の複数の端末を有する第２の通信ネットワークとに接続され、少なくとも前記第２の通信ネットワークに属する前記他の複数の端末の宛先情報を持つ第２の宛先テーブルを格納したメモリを有する中継器を用いて、
前記第２の通信ネットワークに属する前記他の複数の端末の通信割当を制御するステップと、
前記第１の通信ネットワークに接続され前記第１の通信ネットワークに属する前記複数の端末の通信割当の制御およびそれらの各端末間の通信を行わせるセンター装置から送られてくる通信情報から、前記第２の通信ネットワークに属する前記他の複数の端末のいずれかの端末宛の情報を抽出してその宛先の端末に送信するステップと、
前記第２の通信ネットワークに属する前記他の複数の端末のいずれかの端末から受信した情報のうち、前記他の複数の端末の他のいずれかの端末宛の情報を抽出してその宛先の端末に送信するステップと、
前記他の複数の端末のいずれかの端末から受信した情報のうち、前記他の複数の端末の他のいずれかの端末宛以外の情報を前記センター装置に送信するステップとを備えた、双方向通信用中継方法である。
【００２６】
第１２の本発明は、
第１の本発明の、前記センター装置の、
前記第１の通信ネットワークに属する前記複数の端末の通信割当の制御およびそれらの各端末間の通信を行わせるセンター制御部としてコンピュータを機能させるためのプログラムである。
【００２７】
第１３の本発明は、
第１２の本発明のプログラムを担持した記録媒体であって、コンピュータで利用可能な記録媒体である。
【００２８】
第１４の本発明は、
第１の本発明の、前記中継器の、
前記他の複数の端末の通信割当を制御し、前記センター装置から送られてくる通信情報から前記他の複数の端末のいずれかの端末宛の情報を抽出してその宛先の端末に送信し、また、前記他の複数の端末のいずれかの端末から受信した情報のうち、前記他の複数の端末の他のいずれかの端末宛の情報を抽出してその宛先の端末に送信し、前記他のいずれかの端末宛以外の情報を前記センター装置に送信する、前記中継制御部としてコンピュータを機能させるためのプログラムである。
【００２９】
第１５の本発明は、
第１４の本発明のプログラムを担持した記録媒体であって、コンピュータで利用可能な記録媒体である。
【発明の効果】
【００３０】
本発明により、上り回線と下り回線で同一周波数を使用する時分割多重の双方向通信システムの信号を中継できる、双方向通信用中継システム、中継器、および双方向通信用中継方法を提供できる。
【発明を実施するための最良の形態】
【００３１】
以下、本発明の実施の形態について、図面を参照しながら説明する。
【００３２】
（実施の形態１）
図１は、本発明の実施の形態１における双方向通信用中継システムの構成を示すものである。
【００３３】
本実施の形態１の双方向通信用中継システムは、センター装置１に接続されているネットワーク３と、センター装置の無い構成のネットワーク５およびネットワーク８１と、ネットワーク３とネットワーク５に接続され、これらのネットワークを中継する中継器６、および、ネットワーク３とネットワーク８１に接続され、これらのネットワークを中継する中継器８０で構成されている。このように、本実施の形態１の双方向通信用中継システムは、ネットワーク５やネットワーク８１のようにセンター装置を備えていないネットワークと中継することを特徴としている。
【００３４】
なお、中継器８０は中継器６と同様の構成であり、ネットワーク８１はネットワーク５と同様の構成である。したがって、中継器８０とネットワーク８１における動作は、中継器６とネットワーク５における動作と同様である。以下には、中継器６とネットワーク５について説明していく。
【００３５】
なお、ネットワーク３は、本発明の第１の通信ネットワークの一例であり、ネットワーク５および８１は、いずれも本発明の第２の通信ネットワークの一例である。
【００３６】
ネットワーク３とネットワーク５は、いずれも、同一周波数帯を使用して通信する時分割多重により通信が行われるネットワークである。
【００３７】
ネットワーク３には、２ａ〜２ｎの複数の端末が収容されており、ネットワーク５には、４ａ〜４ｍの複数の端末が収容されている。
【００３８】
そして、センター装置１は、センター装置用制御部７５と全宛先テーブル７０を備えている。全宛先テーブル７０には、ネットワーク３に収容される複数の端末２ａ〜２ｎおよびネットワーク５に収容される複数の端末４ａ〜４ｍの、全ての端末の宛先情報が含まれている。また、全宛先テーブル７０は、どの端末がどの中継器に接続されるネットワークに属しているかという、中継器と端末との関連を示す組み合わせ情報（図１の場合には、「端末４ａ〜４ｍは、中継器６が管理するネットワーク５に属している」という情報）も含んでいる。そして、センター装置用制御部７５は、全宛先テーブル７０に基づいて、ネットワーク３に収容されている端末２ａ〜２ｎのそれぞれにおける通信の時間割り当てを行い、各端末２ａ〜２ｎと通信を行い各端末２ａ〜２ｎ間に介在することにより、各端末２ａ〜２ｎ間の通信を実現する。
【００３９】
なお、全宛先テーブル７０が、本発明の、第１の宛先テーブルが格納された第１のメモリの一例である。また、センター装置用制御部７５が、本発明のセンター制御部の一例である。
【００４０】
そして、中継器６は、第１のフィルタ１１、第１の変復調部１２、第２のフィルタ１３、第２の変復調部１４、第３のフィルタ１５、制御部１６、中継器用宛先テーブル７１、通信データ用メモリ７４を備えている。中継器用宛先テーブル７１には、ネットワーク５に収容される複数の端末４ａ〜４ｍの宛先情報が含まれている。
【００４１】
なお、中継器用宛先テーブル７１が、本発明の第２の宛先テーブルが格納された第２のメモリの一例である。また、制御部１６が、本発明の中継制御部の一例である。
【００４２】
また、中継器６は、第１接続端子７２によりネットワーク３に接続され、第２接続端子７３によりネットワーク５に接続されている。そして、第１接続端子７２には、第３のフィルタ１５および第１のフィルタ１１が接続されており、第２接続端子７３には、第３のフィルタ１５のもう一端および第２のフィルタ１３が接続されている。図１に示すように、第３のフィルタ１５を介して、ネットワーク３とネットワーク５が中継器６の内部で接続されている。
【００４３】
なお、第１接続端子７２および第２接続端子７３が、それぞれ、本発明の第１の接続点および第２の接続点の一例である。また、第３のフィルタ１５を介して第１接続端子７２と第２接続端子７３が接続されている配線部分が、本発明の接続ラインの一例である。
【００４４】
図２は、本実施の形態１の双方向通信用中継システムの、通信用に割り当てられた周波数配列図である。各端末間の通信には、放送チャネル用の周波数帯２２とは異なる上下回線用通信チャネル用の周波数帯２１を使用する。
【００４５】
以上のように構成された本実施の形態１の双方向通信用中継システムについて、以下図１と図２を用いてその動作を説明する。
【００４６】
まず、センター装置１と、ネットワーク３に収容された端末２ａ〜２ｎが通信を行う場合について説明する。端末２ａ〜２ｎは、上下回線用通信チャネル２１を使用してセンター装置１との間で通信を行う。各端末２ａ〜２ｎからセンター装置１への上り信号の送信タイミングは、互いにデータの衝突が生じないようにセンター装置１によって制御される。ここで、センター装置１は、各端末２ａ〜２ｎごとに通信する時間を割り当てることにより、データの衝突が生じないように制御している。
【００４７】
また、センター装置１から各端末２ａ〜２ｎへの下り信号は、センター装置１からの同報にて伝達される。そして、端末２ａ〜２ｎ同士の間で通信を行う場合は、センター装置１を介して通信が行われる。
【００４８】
次に、ネットワーク３に収容された端末２ａ〜２ｎと、ネットワーク５に収容された端末４ａ〜４ｍが通信を行う場合について説明する。
【００４９】
端末２ａ〜２ｎは、上下回線用通信チャネル２１を使用し、センター装置１を介して中継器６との間で通信を行う。中継器６からセンター装置１への上り信号の送信タイミングは、ネットワーク３に含まれる端末２ａ〜２ｎと同様に、データの衝突が生じないようにセンター装置１によって制御される。また、センター装置１から中継器６への下り信号はセンター装置１から同報にて伝達される。つまり、この場合、中継器６は、センター装置１に対して、ネットワーク３に収容される一端末として動作する。
【００５０】
中継器６は、ネットワーク３に接続される第１接続端子７２に接続された第１のフィルタ１１により、上下回線用通信チャネル２１をろ波して選択し、第１の変復調部１２にてセンター装置１から受信した信号の復調を行う。
【００５１】
そして、制御部１６は、第１の変復調部１２が出力する復調データの宛先を中継器用宛先テーブル７１の情報に基づいて解析する。宛先がネットワーク５に収容された端末４ａ〜４ｍの場合、第２の変復調部１４にデータを転送する。第２の変復調部１４は、その転送されたデータを変調し、第２のフィルタ１３により上下回線用通信チャネル２１をろ波し、第２接続端子７３に接続されたネットワーク５に収容されている端末４ａ〜４ｍに送信する。この中継器６から端末４ａ〜４ｍへの下り信号は、中継器６から同報にて伝達される。
【００５２】
逆に、ネットワーク５に収容された端末４ａ〜４ｍから中継器６への上り信号の送信タイミングは、互いにデータの衝突が生じないように中継器６によって制御される。中継器６は、端末４ａ〜４ｍごとに中継器６への送信時間を割り当てることにより、互いにデータの衝突が生じないように制御している。
【００５３】
中継器６は、ネットワーク５に接続される第２接続端子７３に接続された第２のフィルタ１３により上下回線用通信チャネル２１をろ波して選択し、第２の変復調部１４にてネットワーク５に収容された端末４ａ〜４ｍから受信した信号の復調を行う。
【００５４】
そして、制御部１６は、第２の変復調部１４が出力する復調データの宛先を中継器用宛先テーブル７１の情報に基づいて解析する。
【００５５】
制御部１６で解析した宛先が、ネットワーク５に含まれる端末４ａ〜４ｍの場合、受信データを通信データ用メモリ７４に格納する。そして、制御部１６は、データ受信終了後、その格納したデータを第２の変復調部１４に転送する。第２の変復調部１４は、その転送されたデータを変調し、第２のフィルタ１３により上下回線用通信チャネル２１をろ波し、宛先の端末４ａ〜４ｍのいずれかの端末に送信する。このように、ネットワーク５に収容される端末４ａ〜４ｍ間同士の通信に対しては、中継器６は、その通信データをセンター装置１に転送することなく、中継器６を介して端末間の通信を行わせる。つまり、中継器６は、ネットワーク５に収容される端末４ａ〜４ｍ間同士の通信に対しては、センター装置として動作する。
【００５６】
制御部１６で解析した宛先が、ネットワーク５に含まれる端末４ａ〜４ｍ以外だった場合、第１の変復調部１２にデータを転送する。第１の変復調部１２は、その転送されたデータを変調し、第１のフィルタ１１により上下回線用通信チャネル２１をろ波し、センター装置１に送信する。ここで、制御部１６は、第１の変復調部１２がネットワーク３に信号を送信するタイミングと、第２の変復調部１４がネットワーク５に信号を送信するタイミングが互いに重ならないように制御を行う。中継器６からセンター装置１に送信するタイミングはセンター装置により決定されるので、制御部１６は、その送信時間に重ならないように、端末４ａ〜４ｍから中継器６への送信時間の割り当てを行うように制御する。
【００５７】
次に、中継器６の第３のフィルタ１５の動作について説明する。
【００５８】
第３のフィルタ１５は、ネットワーク３とネットワーク５を互いに接続し、放送チャネル２２をろ波し、センター装置１から送信される放送チャネル２２の信号が、ネットワーク３に収容された端末２ａ〜２ｎに加えてネットワーク５に収容された端末４ａ〜４ｍに対しても伝送されるように設けられたものである。ネットワーク３及びネットワーク５の全端末は、センター装置１から同報にて伝送される放送チャネル２２を受信することができる。
【００５９】
第３のフィルタ１５を設けることにより、第１の変復調部１２と第２の変復調部１４の送受信タイミングが重なった場合でも、互いの信号干渉を軽減させることが可能である。さらに、第３のフィルタ１５の特性を理想に近づけることで、これらの送受信タイミングを重ならせることも可能となる。
【００６０】
次に、本実施の形態１の双方向通信用中継システムにおける、各装置間の通信タイミングについて説明する。
【００６１】
図３は、本実施の形態１の双方向通信用中継システムにおける、各装置間の通信時間帯の関係を示している。
【００６２】
２５は、端末２ａ〜２ｎからセンター装置１への上り信号の時間帯、２６は、センター装置１から端末２ａ〜２ｎへの下り信号の時間帯、２７は、中継器６から端末４ａ〜４ｍへの下り信号の時間帯、２８は、端末４ａ〜４ｍから中継器６への上り信号の時間帯、２９は、中継器６からセンター装置１への上り信号の時間帯を、それぞれ示している。図３
に示すように、各通信の衝突が生じないように２５〜２９のそれぞれの時間帯が重ならないように制御される。
【００６３】
これらの通信時間帯のうち、２５、２６、２９の時間帯は、センター装置１により割り当てられる。そして、センター装置１により割り当てられたこれらの時間帯の情報が中継器６に送信され、中継器６が、その情報に基づいて、２５、２６、２９の時間帯に重ならないように２７、２８の時間帯を割り当てる。このようにして、各装置間の通信時間が重ならないように制御される。
【００６４】
次に、本実施の形態１の双方向通信用中継システムにおける、各装置間の通信を実現するための、ヘッダ部の送信宛先情報の処理の一例について説明する。
【００６５】
図４は、本実施の形態１の双方向通信用中継システムにおける、各装置間の通信におけるヘッダ部の送信宛先情報を示している。
【００６６】
図４の（１）が、ネットワーク３に属する端末２ａと端末２ｎ間の通信におけるヘッダ部の宛先情報を、（２）が、端末２ａとネットワーク５に属する端末４ａ間の通信におけるヘッダ部の宛先情報を、（３）が、ネットワーク５に属する端末４ａと端末４ｍ間の通信におけるヘッダ部の宛先情報を、それぞれ示している。
【００６７】
伝送データは、ヘッダ部の送信宛先情報とは別に、最終的に伝達する「最終宛先情報」も含んでいる。この「最終宛先情報」は、ヘッダ部に含まれていてもよいし、伝送データのヘッダ部以外の部分に含まれていてもよい。センター装置１および中継器６の制御部１６は、「最終宛先情報」の内容に応じて、ヘッダ部の送信宛先情報を書き換え、転送していき、最終的に「最終宛先情報」の装置に伝送データを伝送する。
【００６８】
ネットワーク３に属する端末２ａと端末２ｎ間で伝送データを通信する場合には、図４の（１）に示すように、まず、端末２ａが、「最終宛先情報」に「端末２ｎ」を設定し、ヘッダ部の送信宛先を「センター装置」として、センター装置１に伝送データを送信する。端末２ａからこの伝送データを受信したセンター装置１は、「最終宛先情報」が「端末２ｎ」であるので、ヘッダ部の送信宛先を「端末２ｎ」に変更して、伝送データを端末２ｎに送信する。端末２ｎから端末２ａに伝送データを送信する場合も、同様にセンター装置１を介して伝送データを送信する。
【００６９】
ネットワーク３に属する端末２ａとネットワーク５に属する端末４ａ間で伝送データを通信する場合には、図４の（２）に示すように、まず、端末２ａが、「最終宛先情報」に「端末４ａ」を設定し、ヘッダ部の送信宛先を「センター装置」として、センター装置１に伝送データを送信する。端末２ａからこの伝送データを受信したセンター装置１は、「最終宛先情報」が「端末４ａ」であるので、ヘッダ部の送信宛先を「中継器」に変更して、伝送データを中継器６に転送する。センター装置１から転送されてきた伝送データを受信した中継器６は、「最終宛先情報」が「端末４ａ」であるので、ヘッダ部の送信宛先を「端末４ａ」に変更して、伝送データを端末４ａに送信する。
【００７０】
逆に、ネットワーク５に属する端末４ａからネットワーク３に属する端末２ａに伝送データを送信する場合には、まず、端末４ａが、「最終宛先情報」に「端末２ａ」を設定し、ヘッダ部の送信宛先を「中継器」として、中継器６に伝送データを送信する。端末４ａからこの伝送データを受信した中継器６は、「最終宛先情報」が「端末２ａ」であるので、ヘッダ部の送信宛先を「センター装置」に変更して、伝送データをセンター装置１に転送する。中継器６から転送されてきた伝送データを受信したセンター装置１は、「最終宛先情報」が「端末２ａ」であるので、ヘッダ部の送信宛先を「端末２ａ」に変更して、伝送データを端末２ａに送信する。
【００７１】
ネットワーク５に属する端末４ａと端末４ｍ間で伝送データを通信する場合には、図４の（３）に示すように、まず、端末４ａが、「最終宛先情報」に「端末４ｍ」を設定し、ヘッダ部の送信宛先を「中継器」として、中継器６に伝送データを送信する。端末４ａからこの伝送データを受信した中継器６は、「最終宛先情報」が「端末４ｍ」であるので、ヘッダ部の送信宛先を「端末４ｍ」に変更して、伝送データを端末４ｍに送信する。端末４ｍから端末４ａに伝送データを送信する場合も、同様に中継器６を介して伝送データを送信する。このように、ネットワーク５に属する端末間同士の通信については、その伝送データはセンター装置１には送信されず、中継器６で折り返して転送される。つまり、この場合は、中継器６がセンター装置としての伝送制御の役割を行う。
【００７２】
上記の、センター装置１および中継器６がヘッダ部の送信宛先情報を書き替えて転送する方法は、本実施の形態１の双方向通信用中継システムの処理方法の一例であり、これ以外の方法で実現してもよい。
【００７３】
以上に説明したように、本実施の形態１の双方向通信用中継システムは、センター装置１と、複数の端末２ａ〜端末２ｎを収容するネットワーク３と、複数の端末４ａ〜端末４ｍを収容する他のネットワーク５と、ネットワーク３とネットワーク５を接続する中継器６とを備えている。そして、中継器６には、ネットワーク３の信号をろ波する第１のフィルタ１１と、第１のフィルタ１１で抽出された信号を変復調する第１の変復調部１２と、ネットワーク５の信号をろ波する第２のフィルタ１３と、第２のフィルタ１３で抽出された信号を変復調する第２の変復調部１４と、ネットワーク３とネットワーク５を互いに接続する第３のフィルタ１５と、第１の変復調部１２と第２の変復調部１４に入出力するデータを処理する制御部１６とが設けられている。これにより、第１の変復調部１２の受信データは第２の変復調部１４の送信データとなり、第２の変復調部１４の受信データは第１の変復調部１２の送信データとなり、第１の変復調部１２がネットワーク３に信号を送信するタイミングと、第２の変復調部１４がネットワーク５に信号を送信するタイミングが互いに重ならないように制御され、第１の変復調部１２から送信される信号と第２の変復調部１４から送信される信号が同時になるタイミングが阻止されることで、第３のフィルタを介して互いの信号が衝突することが回避され、ネットワーク３とネットワーク５の信号を中継することができるようになる。
【００７４】
（実施の形態２）
以下、本発明の実施の形態２の双方向通信用中継システムについて図面を参照しながら説明する。本実施の形態２の双方向通信用中継システムの構成は、実施の形態１の双方向通信用中継システムの構成と同様であり、図１に示す通りである。また、使用する周波数帯も実施の形態１と同様であり、本実施の形態２の双方向通信用中継システムにおける周波数配置図は図２に示す通りである。
【００７５】
本実施の形態２の双方向通信用中継システムは、中継器６における送受信タイミングのみが実施の形態１の場合と異なり、その他に関しては同様であるので動作の説明は省略する。以下に、本実施の形態２の双方向通信用中継システムの、中継器６における送受信タイミングについて説明する。
【００７６】
図５は、本実施の形態２の双方向通信用中継システムにおける、各装置間の伝送データの流れを示している。そして、図６は、そのそれぞれの伝送データの送受信タイミングを示している。
【００７７】
３１ａ〜３１ｄが、図１に示すネットワーク３に関する伝送データおよび信号タイミングであり、３２ａ〜３２ｃが、ネットワーク５に関する伝送データおよび信号タイミングである。
【００７８】
図５および図６において、３１ａはセンター装置１からの下り回線信号、３１ｂは端末２ａからの上り回線信号、３１ｃは端末２ｎからの上り回線信号、３１ｄは中継器６からの上り回線信号である。他方、３２ａは中継器６からの下り回線信号、３２ｂは端末４ａからの上り回線信号、３２ｃは端末４ｍからの上り回線信号である。なお、図６の塗りつぶした部分の伝送データは、中継器６が送受信する伝送データを示している。
【００７９】
以下、本実施の形態２の双方向通信用中継システムにおける中継器６の送受信タイミングについて、その動作を説明する。
【００８０】
まず、センター装置１から、ネットワーク５に収容される端末４ａ〜４ｍに送信する場合の、各装置間の信号の動作およびタイミングについて説明する。
【００８１】
図１において、中継器６は、センター装置１からの下り回線信号３１ａを受信する。制御部１６は、ネットワーク３に接続される第１接続端子７２に接続された第１のフィルタ１１により、上下回線用通信チャネル２１をろ波して選択し、第１の変復調部１２にてセンター装置１から受信した信号の復調を行う。
【００８２】
そして、制御部１６は、第１の変復調部１２が出力する復調データを通信データ用メモリ７４に格納し、その復調データの宛先を中継器用宛先テーブル７１の情報に基づいて解析する。宛先がネットワーク５に収容された端末４ａ〜４ｍの場合、他の伝送データのタイミングと重ならないタイミングで、通信データ用メモリ７４に格納した伝送データを、第２の変復調部１４にデータを転送する。第２の変復調部１４は、その転送されたデータを変調し、第２のフィルタ１３により上下回線用通信チャネル２１をろ波し、第２接続端子７３に接続されたネットワーク５に収容されている端末４ａ〜４ｍに下り回線信号３２ａを送信する。この中継器６から端末４ａ〜４ｍへの下り回線信号３２ａは、中継器６から同報にて伝達される。
【００８３】
ここで、制御部１６は、センター装置１により割り当てられていない通信時間帯に下り回線信号３２ａを端末４ａ〜４ｍに送信することにより、下り回線信号３２ａの送信タイミングが他の通信タイミングと重ならないようにしている。図６では、端末２ａおよび端末２ｎからの上り回線信号３２ｂおよび３２ｃ間の、センター装置１により割り当てられていない時間に下り回線信号３２ａを送信することにより、下り回線信号３２ａが、上り回線信号３２ｂおよび３２ｃ間の通信タイミングに重ならないようにしている。中継器６は、センター装置が通信のために割り当てた通信時間の情報をセンター装置から予め受信しているので、制御部１６が、このように制御することができる。
【００８４】
次に、ネットワーク５に収容されている端末４ａおよび４ｍから、センター装置１に送信する場合の、各装置間の信号の動作およびタイミングについて説明する。
【００８５】
ネットワーク５に収容された端末４ａおよび端末４ｍから中継器６への上り信号３２ｂおよび３２ｃの送信タイミングは、互いにデータの衝突が生じないように中継器６によって制御される。中継器６の制御部１６は、端末４ａおよび端末４ｍごとに中継器６への送信時間を割り当てることにより、互いにデータの衝突が生じないように制御している。
【００８６】
中継器６は、ネットワーク５に接続される第２接続端子７３に接続された第２のフィルタ１３により上下回線用通信チャネル２１をろ波して選択し、第２の変復調部１４にてネットワーク５に収容された端末４ａおよび４ｍから受信した信号の復調を行う。
【００８７】
そして、制御部１６は、第２の変復調部１４が出力する復調データを通信データ用メモリ７４に格納し、その復調データの宛先を中継器用宛先テーブル７１の情報に基づいて解析する。
【００８８】
制御部１６で解析した宛先が、ネットワーク５に含まれる端末４ａ〜４ｍ以外だった場合、制御部１６は、通信データ用メモリ７４に格納したデータを第１の変復調部１２に転送する。第１の変復調部１２は、その転送されたデータを変調し、第１のフィルタ１１により上下回線用通信チャネル２１をろ波し、センター装置１に上り回線信号３１ｄを送信する。中継器６からセンター装置１への上り信号３１ｄの送信タイミングは、ネットワーク３に含まれる端末２ａ〜２ｎの送信タイミングと同様に、データの衝突が生じないようにセンター装置１によって通信の時間割り当てが行なわれて制御される。つまり、制御部１６は、センター装置１により割り当てられた送信タイミングで、センター装置１に上り信号３１ｄが送信されるように、通信データ用メモリ７４に格納したデータを第１の変復調部１２に転送する。
【００８９】
一方、制御部１６で解析した宛先が、ネットワーク５に含まれる端末４ａ〜４ｍの場合は、図６にはそのタイミングを示していないが、実施の形態１と同様に、通信データ用メモリ７４に格納したデータを第２の変復調部１４に転送する。第２の変復調部１４は、その転送されたデータを変調し、第２のフィルタ１３により上下回線用通信チャネル２１をろ波し、宛先の端末４ａ〜４ｍのいずれかの端末に下り回線信号３２ａを送信する。制御部１６は、センター装置１で割り当てられていない時間帯を使用して下り回線信号３２ａを送信するので、下り回線信号３２ａの送信タイミングが、他の通信タイミングと重なることはない。
【００９０】
このように、制御部１６は、センター装置１により割り当てられていない時間帯に、ネットワーク５に属する端末４ａ〜４ｍと中継器６との送受信を行うように通信時間の割り当てをして制御するので、第１の変復調部１２がネットワーク３に信号３１ｄを送信するタイミングと、第２の変復調部１４がネットワーク５に信号３２ａを送信するタイミングが互いに重ならないように制御されることになる。加えて、第１の変復調部１２がセンター装置１からの信号３１ａを受信するタイミングと、第２の変復調部１４がネットワーク５に信号３２ａを送信するタイミングが互いに重ならないように制御されることになる。また、第２の変復調部１４が端末４ａおよび端末４ｍからの信号３２ｂおよび３２ｃを受信するタイミングと、第１の変復調部１２がネットワーク３に信号３１ｄを送信するタイミングが互いに重ならないように制御されることになる。
【００９１】
以上に説明したように、本実施の形態２の双方向通信用中継システムは、センター装置１と、複数の端末２ａ〜端末２ｎを収容するネットワーク３と、複数の端末４ａ〜端末４ｍを収容する他のネットワーク５と、ネットワーク３とネットワーク５を接続する中継器６とを備えている。そして、中継器６には、ネットワーク３の信号をろ波する第１のフィルタ１１と、第１のフィルタ１１で抽出された信号を変復調する第１の変復調部１２と、ネットワーク５の信号をろ波する第２のフィルタ１３と、第２のフィルタ１３で抽出された信号を変復調する第２の変復調部１４と、ネットワーク３とネットワーク５を互いに接続する第３のフィルタ１５と、第１の変復調部１２と第２の変復調部１４に入出力するデータを処理する制御部１６とが設けられている。これにより、第１の変復調部１２の受信データは第２の変復調部１４の送信データとなり、第２の変復調部１４の受信データは第１の変復調部１２の送信データとなり、第１の変復調部１２がネットワーク３に信号３１ｄを送信するタイミングと、第２の変復調部１４がネットワーク５に信号３２ａを送信するタイミングが互いに重ならないように制御される。また、第１の変復調部１２がセンター装置１からの信号３１ａを受信するタイミングと、第２の変復調部１４がネットワーク５に信号３２ａを送信するタイミングが互いに重ならないように制御される。また、第２の変復調部１４が端末４ａおよび４ｍからの信号３２ｂおよび３２ｃを受信するタイミングと、第１の変復調部１２がネットワーク３に信号３１ｄを送信するタイミングが互いに重ならないように制御される。このように制御されることにより、第３のフィルタを介して互いの送受信信号が衝突することが回避され、ネットワーク３とネットワーク５の信号を中継することができるようになる。
【００９２】
次に、本発明の双方向通信用中継システムの使用例について説明する。
【００９３】
図７は、本発明の双方向通信用中継システムを電車に応用した場合の概要図を示している。
【００９４】
電車には、通常、各車両ごとに同軸ケーブルのネットワークが備えられている。本発明により、この既存の同軸ケーブルのネットワークを有効に活用した双方向通信用中継システムを構築することができる。
【００９５】
図７の、６３、６４、６５が、電車の各車両に備えられている同軸ネットワークである。図７に示すように、同軸ネットワーク６３にセンター装置１を接続し、同軸ネットワーク６３−６４間、同軸ネットワーク６４−６５間に、それぞれ本発明の中継器６１、６２を設けることにより、電車全体に本発明の双方向通信用中継システムを構成させることができる。このように、既存の同軸ネットワーク６３、６４、６５を活用して、施工が容易で安価に双方向通信用中継システムを構築させることができる。
【００９６】
また、本発明により、マンションの複数の棟を統合した双方向通信用中継システムを構築することもできる。通常、マンションは、各棟ごとに同軸ネットワークが設けられている。この同軸ネットワークは、例えばＣＡＴＶなど、同軸ケーブルと分配器が接続されて構成されている。センター装置を接続し、各棟のネットワーク間を本発明の中継器により接続させることで、マンションの複数の棟を統合した双方向通信用中継システムを構築することができる。既存の同軸ネットワークを使用できるので、施工が容易で安価に双方向通信用中継システムを構築させることができる。
【００９７】
これら以外にも、複数の同軸ネットワークがあれば、本発明の方法でそれらを中継させることにより、容易に双方向通信用中継システムを構築することができる。
【００９８】
なお、各実施の形態では、ネットワーク３とネットワーク５は同一周波数の上下回線用通信チャネルを使用するとしたが、上下回線用通信チャネルの周波数帯内の周波数を分けて使用し、ネットワーク３とネットワーク５で異なる周波数の上下回線用通信チャネルとしてもよい。
【００９９】
また、各実施の形態では、センター装置を備えていないネットワークと中継器との組み合わせを図１に示すように２組の構成で説明したが、センター装置１を備えるネットワーク３に接続されるこれらの組み合わせは、１組であってもよいし、また３組以上であってもよい。
【０１００】
なお、本発明のプログラムは、上述した本発明のセンター装置の、センター制御部の機能をコンピュータにより実行させるためのプログラムであって、コンピュータと協働して動作するプログラムである。
【０１０１】
また、本発明の記録媒体は、上述した本発明のセンター装置の、センター制御部の機能をコンピュータにより実行させるためのプログラムを担持した記録媒体であり、コンピュータにより読み取り可能かつ、読み取られた前記プログラムが前記コンピュータと協働して利用される記録媒体である。
【０１０２】
また、本発明のプログラムは、上述した本発明の中継器の、中継制御部の機能をコンピュータにより実行させるためのプログラムであって、コンピュータと協働して動作するプログラムである。
【０１０３】
また、本発明の記録媒体は、上述した本発明の中継器の、中継制御部の機能をコンピュータにより実行させるためのプログラムを担持した記録媒体であり、コンピュータにより読み取り可能かつ、読み取られた前記プログラムが前記コンピュータと協働して利用される記録媒体である。
【０１０４】
また、本発明のプログラムの一利用形態は、コンピュータにより読み取り可能な記録媒体に記録され、コンピュータと協働して動作する態様であっても良い。
【０１０５】
また、記録媒体としては、ＲＯＭ等が含まれる。
【０１０６】
また、上述した本発明のコンピュータは、ＣＰＵ等の純然たるハードウェアに限らず、ファームウェアや、ＯＳ、更に周辺機器を含むものであっても良い。
【０１０７】
なお、以上説明した様に、本発明の構成は、ソフトウェア的に実現しても良いし、ハードウェア的に実現しても良い。
【０１０８】
以上に説明したように、本発明は、同一周波数、時分割多重された双方向通信用システムを他の双方向通信システムに中継するという目的を、双方向通信用システムの通信チャネルをろ波するフィルタと後段に変復調部を接続し、互いの変復調部間のデータ転送を制御する制御部を設け、且つ双方向通信用システムの放送チャネルをろ波する別のフィルタを介して互いの双方向通信用システムを接続することで実現した。
【産業上の利用可能性】
【０１０９】
同一周波数、時分割多重方式の有線通信の中継システムで利用できる。
【図面の簡単な説明】
【０１１０】
【図１】本発明の実施の形態１における双方向通信用中継システムの構成図
【図２】本発明の実施の形態１における双方向通信用中継システムの周波数配置図
【図３】本発明の実施の形態１の双方向通信用中継システムにおける、各装置間の通信時間帯の関係を示す図
【図４】本発明の実施の形態１の双方向通信用中継システムにおける、各装置間の通信時のヘッダ部の送信宛先情報を示す図
【図５】本実施の形態２の双方向通信用中継システムにおける、各装置間の伝送データの流れを示す図
【図６】本発明の実施の形態２の双方向通信用中継システムにおける、各装置間の送受信タイミングを示す図
【図７】本発明の双方向通信用中継システムを電車に応用した場合の概要図
【図８】従来の双方向通信用中継システムの構成図
【図９】従来の双方向通信用中継システムの周波数配置図
【符号の説明】
【０１１１】
１  センター装置
２ａ〜２ｎ  端末
３  ネットワーク
４ａ〜４ｍ  端末
５、８１  ネットワーク
６、８０  中継器
１１  第１のフィルタ
１２  第１の変復調部
１３  第２のフィルタ
１４  第２の変復調部
１５  第３のフィルタ
１６  制御部
２１  上下回線用通信チャネル
２２  放送チャネル
３１ａ  下り回線信号
３１ｂ、３１ｃ、３１ｄ  上り回線信号
３２ａ  下り回線信号
３２ｂ、３２ｃ  上り回線信号
４１  ネットワーク
４２  センター装置
４３  ネットワーク
４４  センター装置
４５  ゲートウェイ
５１ａ  上り回線制御チャネル
５１ｂ  下り回線制御チャネル
５２ａ、５３ａ、…  上り通信チャネル
５２ｂ、５３ｂ、…  下り通信チャネル
７０  全宛先テーブル
７１  中継器用宛先テーブル
７２  第１接続端子
７３  第２接続端子
７４  通信データ用メモリ
７５  センター装置用制御部
【図１】
2006025357.tif 000003
【図２】
2006025357.tif 000004
【図３】
2006025357.tif 000005
【図４】
2006025357.tif 000006
【図５】
2006025357.tif 000007
【図６】
2006025357.tif 000008
【図７】
2006025357.tif 000009
【図８】
2006025357.tif 000010
【図９】
2006025357.tif 000011